(57)【要約】【課題】極めてシンプルな構造であって、迅速に組み立てることがきでると共に、組み立てられた後には強固に結合される組立式の収納用部材を提供すると共に、中仕切板がこの収納用部材の本体に確実強固に固定される構造を提供する。【解決手段】底板と、この底板から立ち上げられた接続側板３２と、接続側板３２間に配置された着脱側板１１と、着脱側板１１間に配置された中仕切板２１とを備える。接続側板３２は、その上端から下方に向けて設けられた上向き切込と、着脱側板に向けて伸ばされた張出部４０とを備える。着脱側板１１は、その下端から上方に向けて設けられた下向き切込と、前記張出部に対応する当接部１８を備える。着脱側板１１を外側に弾性変形させて張出部４０を通過させたることにより、張出部４０の下方に当接部１８が配置されるようにし、着脱側板１１が上方に抜けないように組み付ける。【選択図】図１
2013023276.tif 000002
【特許請求の範囲】
【請求項１】
底板と、この底板に上方に分離しないように接続された複数の接続側板と、前記接続側板間に配置された着脱側板とを備え、
前記接続側板は、その上端から下方に向けて設けられた上向き切込と、着脱側板に向けて伸ばされた張出部とを備え、
前記着脱側板は、その下端から上方に向けて設けられた下向き切込と、前記張出部に対応する当接部を備え、
前記上向き切込と前記下向き切込とを組み合わせて、前記接続側板と前記接続側板との間に着脱側板を上方から下方に差し込み、前記着脱側板を外側に弾性変形させて前記張出部を通過させたることにより、前記張出部の下方に前記当接部が配置されるようにして、前記着脱側板が上方に抜けないように組み付けたことを特徴とする組立式収納用部材。
【請求項２】
前記張出部は、前記接続側板の上端を外側又は内側に向けて突出させると共に横方向に張り出させたものであり、
前記当接部は、前記着脱側板の上端を外側又は内側に向けて突出させたものであり、
前記上向き切込は、上下方向に伸びる外側辺と内側辺とによって規定され、前記外側辺は上方に向かうに従い外方向に進む広がり部分を備え、
前記上向き切込と前記下向き切込とを組み合わせて、前記接続側板と前記接続側板との間に着脱側板を上方から下方に差し込むことにより、前記着脱側板は、その後面が前記張出部の先端に当接すると共に、その前面が前記広がり部分に当接しながら、外側に弾性変形して前記張出部を通過するものであることを特徴とする請求項１記載の組立式収納用部材。
【請求項３】
前記接続側板は、前記底板の前辺に接続された前接続側板と、前記底板の後辺に接続された後接続側板とを備え、前記底板と前記前接続側板と前記後接続側板とは一体に形成されたものであり、
前記着脱側板は、前記前接続側板と前記後接続側板との左側同士をつなぐ左着脱側板と、前記前接続側板と前記後接続側板との右側同士をつなぐ右着脱側板とを備え、
前記左着脱側板と前記右着脱側板との間には中仕切板が渡され、
前記中仕切板は、その上端から下方に向けて設けられた仕切用上向き切込を備え、
前記着脱側板は、その下端から上方に向けて設けられた仕切用下向き切込を備え、
前記仕切用上向き切込と前記仕切用下向き切込とを組み合わせて、前記着脱側板と前記着脱側板との間に前記中仕切板が配置されたものであることを特徴とする請求項１又は２記載の仕切付き組立式収納用部材。
【発明の詳細な説明】
【技術分野】
【０００１】
本願発明は、組立式収納用部材、それ自体がケースとして使用できたり、或いは、別途のケース内に入れて仕切代わりに使用することができる組立式収納用部材に関するものである。
【背景技術】
【０００２】
従来より、特許文献１や２に示す組立式収納用部材が提案されている。これらの組立式収納用部材を含めて、多くの組立式収納用部材の開発の目的は、迅速に組み立てることができると共に、組み立てられた後には強固に結合されていることにある。ところが、これらの目的を達成するには、特許文献２に示されるように、複雑な構造を採用するのが一般的であった。また、中仕切板についてみると、中仕切板はケース本体に配置されているに止まる場合が多く、簡単な構造でありながら、確実に固定される構造の提供が望まれいている。
【先行技術文献】
【特許文献】
【０００３】
【特許文献１】特開２００５−２３４４２８号公報
【特許文献２】登録実用新案第３０８９５８９号公報
【発明の概要】
【発明が解決しようとする課題】
【０００４】
本願発明は、極めてシンプルな構造であっても、迅速に組み立てることができると共に、組み立てられた後には強固に結合されるケースの提供を目的とする。さらに、仕切についても、シンプルな構造であっても、迅速に組み立てることができると共に、組み立てられた後には強固に結合されるものを提供せんとするものである。本願発明の他の目的は、簡単な構造でありながら、中仕切板がケース本体に確実強固に固定される構造を提供することにある。
【課題を解決するための手段】
【０００５】
本願発明は、底板と、この底板に上方に分離しないように接続された複数の接続側板と、前記接続側板間に配置された着脱側板とを備え、前記接続側板は、その上端から下方に向けて設けられた上向き切込と、着脱側板に向けて伸ばされた張出部とを備え、前記着脱側板は、その下端から上方に向けて設けられた下向き切込と、前記張出部に対応する当接部を備え、前記上向き切込と前記下向き切込とを組み合わせて、前記接続側板と前記接続側板との間に着脱側板を上方から下方に差し込み、前記着脱側板を外側に弾性変形させて前記張出部を通過させたることにより、前記張出部の下方に前記当接部が配置されるようにして、前記着脱側板が上方に抜けないように組み付けたことを特徴とする組立式収納用部材を提供する。この接続側板は、底板に回動可能に一体成形しておいてもよく、比較的軟質な合成樹脂の場合には肉厚を薄くした弱め線によって回動可能に一体成形してもよい。さらに、別体で形成されたものを、ヒンジ構造や嵌め合わせや接着などによって上方に分離しないようにされたものであってもよい。
【０００６】
本願発明は、前記張出部が、前記接続側板の上端を外側又は内側に向けて突出させると共に横方向に張り出させたものであり、前記当接部は、前記着脱側板の上端を外側又は内側に向けて突出させたものであり、前記上向き切込は、上下方向に伸びる外側辺と内側辺とによって規定され、前記外側辺は上方に向かうに従い外方向に進む広がり部分を備え、前記上向き切込と前記下向き切込とを組み合わせて、前記接続側板と前記接続側板との間に着脱側板を上方から下方に差し込むことにより、前記着脱側板は、その後面が前記張出部の先端に当接すると共に、その前面が前記広がり部分に当接しながら、外側に弾性変形して前記張出部を通過するものであることを特徴とするものとして実施することができる。
【０００７】
本願発明は、前記接続側板が、前記底板の前辺から立ち上げられた前接続側板と、前記底板の後辺から立ち上げられた後接続側板とを備え、前記底板と前記前接続側板と前記後接続側板とは一体に形成されたものであり、前記着脱側板は、前記前接続側板と前記後接続側板との左側同士をつなぐ左着脱側板と、前記前接続側板と前記後接続側板との右側同士をつなぐ右着脱側板とを備え、前記左着脱側板と前記右着脱側板との間には中仕切板が渡され、前記中仕切板は、その上端から下方に向けて設けられた仕切用上向き切込を備え、前記着脱側板は、その下端から上方に向けて設けられた仕切用下向き切込を備え、前記仕切用上向き切込と前記仕切用下向き切込とを組み合わせて、前記着脱側板と前記着脱側板との間に前記中仕切板が配置されたものであることを特徴とするものとして実施することができる。
【発明の効果】
【０００８】
本願発明は、極めてシンプルな構造であって、迅速に組み立てることができると共に、組み立てられた後には強固に結合されるケースを提供することができたものである。また本願発明は、簡単な構造でありながら、中仕切板がケース本体に確実強固に固定される組立式の収納用部材の構造を提供することができたものである。
【０００９】
特に、前記上向き切込と前記下向き切込とを組み合わせて、前記接続側板と前記接続側板との間に着脱側板を上方から下方に差し込むことにより、前記着脱側板は、その後面が前記張出部の先端に当接すると共に、その前面が前記広がり部分に当接しながら、外側に弾性変形して前記張出部を通過するようにして実施することによって、張出部を十分な大きさに設定しても、円滑な組立が実現するものであり、強度と組立の迅速性とを両立させることができたものである。
【００１０】
さらに仕切についても、シンプルな構造であっても、迅速に組み立てることができると共に、組み立てられた後には強固に結合されるものを提供することができたものである。
【図面の簡単な説明】
【００１１】
【図１】本願発明の実施の形態に係る組立式収納用部材の斜視図。
【図２】同組立式収納用部材の着脱側板を示すもので（Ａ）は正面図、（Ｂ）は側面図。
【図３】同組立式収納用部材の中仕切板を示すもので（Ａ）は正面図、（Ｂ）は側面図。
【図４】同組立式収納用部材の本体部を示すもので（Ａ）は正面図、（Ｂ）は側面図。
【図５】同組立式収納用部材の組立手順を示すもので（Ａ）は組立開始時の要部説明図、（Ｂ）は組立途中の要部説明図、（Ｃ）は組立完了時の要部説明図。
【発明を実施するための形態】
【００１２】
以下、図面に基づき本願発明の実施の形態を説明する。
この実施の形態に係る組立式収納用部材は、図１に示すように、１つの本体３１と、２枚の着脱側板１１と、２枚の中仕切板２１との合計５つの部材から構成されている。これらの部材は、発泡ポリプロピレンなどの硬質合成樹脂製であり、自立性を有すると共に人の手の力でも少しは曲げられる弾性を有する。
【００１３】
本体３１は、図４に示すように、矩形の底板３３と、底板３３の前後辺から立ち上げられた一対の接続側板３２を備える。なお本願では前後左右を使って各部の説明を便宜上行なうが、これは絶対的な位置を特定するものではない。この実施の形態では、底板３３と接続側板３２とは実質的に角度調整不能に一体形成されているが、弱め線を設けて、回動可能に一体形成してもよく、別体のものを接続一体化したものでもよく、最終的に上方に抜けないように接続されればよい。
【００１４】
接続側板３２は、略矩形をしており、その左右の両端寄りには、その上端から下方に向けて上向き切込３７が１本ずつ形成されている。上向き切込３７は、内側辺３４と外側辺３５とによって規定される。外側辺３５は、その上端寄りに、上方に向かうに従い外方向に傾斜して広がる広がり部分３６を備える。この上向き切込３７と左右端との間の部位を外腕部３８と呼ぶ。左右の上向き切込３７の間の部分はさらに上方に伸ばされて外向きに曲げられた上端部３９となっているが、上記の外腕部３８には曲げられた上端部３９はない。この上端部３９は、左右の両端に、上向き切込３７よりもさらに外側に張り出した張出部４０を備える。
【００１５】
次に、図２に示すように、着脱側板１１は、前記一対の接続側板３２の間に着脱可能に配置される矩形の板状体で、ケースの左右面を構成する。着脱側板１１は、その下端から上方に向けて設けられた左右一対の下向き切込１４を備える。着脱側板１１の上端は、外向に曲げられた上端部１３を構成する。この上端部１３の両端は、下向き切込１４の外側にまで達しており、前記張出部４０に対応する当接部１８を構成する。なお、この例では、張出部４０と当接部１８とは、いずれも外側に張り出して形成しているが、張出部４０と当接部１８との両方又は何れか一方を内側に張り出すように形成することも可能である。
【００１６】
また、一対の下向き切込１４の間には、仕切用下向き切込１５が２本形成されている。この仕切用下向き切込１５は、次に述べる中仕切板２１を固定するためのもので、２枚の中仕切板２１に対応して、２本の仕切用下向き切込１５が形成されている。
【００１７】
次に、図３に示すように、中仕切板２１は、着脱側板１１の間に渡される矩形の板状体で、ケースの中仕切を構成する。中仕切板２１は、その上端から下方に向けて設けられた左右一対の仕切用上向き切込２３を備える。図１では省略したが、図３に示すような受容凹部２４を設けてもよい。この受容凹部２４は、収納物を嵌め入れて、動かないように固定するのに用いることができる。
【００１８】
これらの部材を組み付けるには、中仕切板２１の仕切用上向き切込２３の上方から、一方の着脱側板１１の仕切用下向き切込１５を差し込んで組み合わせる。この状態で、一方の着脱側板１１に設けられた一対の下向き切込１４を、本体３１の前後の一対の本体３１の上向き切込３７の上から差し込む。このとき、上端部３９の張出部４０は、上向き切込３７の上方まで延設されているため、これが邪魔になって着脱側板１１は斜めに差し込まれることになる（図５（Ａ））。深く差し込むにつれて、着脱側板１１の外面１７が、張出部４０の先端に当接して外側（図５では右）に弾性変形する。ここで、上向き切込３７は広がり部分３６を備えているため、着脱側板１１は、内面１６が広がり部分３６に当接しながら、大きく変形する。これにより、張出部４０の張り出しを大きくしても、無理なく差し込むことができる。さらに差し込み、張出部４０を通過させることにより、前述の弾性変形が元に戻り、張出部４０の下に上端部１３の当接部１８が入り込んで組付けが完了する。次に、他方の着脱側板１１の下向き切込１４と仕切用下向き切込１５を、接続側板３２の上向き切込３７と中仕切板２１の仕切用上向き切込２３とに差し込む。差し込みも、図５と同じ要領で行なわれる。なお、仕切用上向き切込２３の外側辺の上部には、前述の接続側板３２の広がり部分３６と同様な、広がり部分２６を設けておくことが好ましい。
【００１９】
このように、接続側板３２の張出部４０の下方に、着脱側板１１の当接部１８が配置されるため、着脱側板１１のみを持ち上げようとしても、張出部４０に当接部１８が当って、着脱側板１１が抜けることはない。また、中仕切板２１のみを持ち上げようとしても、着脱側板１１が仕切用上向き切込２３と仕切用下向き切込１５とがかみ合っており、着脱側板１１が接続側板３２から抜けない以上、中仕切板２１が抜けることはない。よって、簡単な構造でありながら、極めて強固に組み合わせされた組立式収納用部材を提供することができたものである。これを中仕切板２１の側から言えば、中仕切板２１が極めて安定した状態を維持することができ、しかも、上端部１３、上端部３９のいずれを持って持ち上げても抜けることがなく、持ち運びも極めて簡単である。また、当接部１８、張出部４０は、１〜２cm程度で足りるため、スペースの大きな無駄を生じさせることがない。
【００２０】
上記実施の形態の他、本願発明は種々変更して実施することができる。例えば、中仕切板２１に交差する別個の仕切を付加して実施することもできる。また、中仕切板２１を省略して着脱側板１１と本体３１とのみでケースを構成するようにしてもよい。平面視６角形や８角形など、４角形以外の多角形として実施することもできる。この組立式の収納用部材は、それ自体を収納ケースとして実施することもできるし、それ全体を仕切として実施することもできる。仕切として実施する場合には、この組立式の収納用部材全体を他のケースの中に入れて使用することになる。
【符号の説明】
【００２１】
１１  着脱側板
１３  上端部
１４  下向き切込
１５  仕切用下向き切込
１８  当接部
２１  中仕切板
２３  仕切用上向き切込
２４  受容凹部
２５  外腕
２６  広がり部分
３１  本体
３２  接続側板
３３  底板
３６  広がり部分
３７  上向き切込
４０  張出部
【図１】
2013023276.tif 000003
【図２】
2013023276.tif 000004
【図３】
2013023276.tif 000005
【図４】
2013023276.tif 000006
【図５】
2013023276.tif 000007